(57)【要約】通信ネットワークにおけるマルチキャリア運用。一態様によれば、通信ネットワーク内の端末装置から無線アクセスノードへの送信のためのアップリンクマルチキャリア動作のために端末装置を構成するよう、通信ネットワーク内のネットワークノードを動作させる方法が提供される。当該方法は、第１のＴＴＩ（送信時間間隔）を有する第１のアップリンクキャリアと第２のＴＴＩを有する第２のアップリンクキャリアとで動作するように端末装置を構成するためのメッセージの端末装置への送信を開始すること（１０１）を有する。メッセージは第１のアップリンクキャリアおよび第２のアップリンクキャリアのための単一トランスポートチャネルを端末装置に設定する。単一トランスポートチャネルは第１のＴＴＩおよび第２のＴＴＩを有する。メッセージは、第２のアップリンクキャリアのＴＴＩに固有のパラメータを示す「アップリンクセカンダリセル情報ＦＤＤ」情報要素（ＩＥ）を含む。
2019533937.tif 000002
【特許請求の範囲】
【請求項１】
端末装置から通信ネットワークにおける無線アクセスノードへの送信のためのアップリンクマルチキャリア動作のために前記端末装置を構成するための、前記通信ネットワークにおけるネットワークノードを動作させる方法であって、前記方法は、
第１のＴＴＩ（送信時間間隔）を有する第１のアップリンクキャリアと第２のＴＴＩを有する第２のアップリンクキャリアとで動作するように前記端末装置を構成するために、前記端末装置へのメッセージの送信を開始すること（１０１）を有し、前記メッセージは、前記第１のアップリンクキャリアと前記第２のアップリンクキャリアとのための単一のトランスポートチャネルを前記端末装置に設定し、前記単一のトランスポートチャネルは前記第１のＴＴＩおよび前記第２のＴＴＩを有し、前記メッセージは、記第２のアップリンクキャリアのＴＴＩに固有のパラメータを示す「アップリンクセカンダリセル情報ＦＤＤ」情報要素（ＩＥ）を含む、方法。
【請求項２】
請求項１に記載の方法であって、前記メッセージは無線リソース制御（ＲＲＣ）メッセージである、方法。
【請求項３】
請求項１または２に記載の方法であって、前記メッセージはＲＲＣ再構成メッセージである、方法。
【請求項４】
請求項１ないし３のいずれか一項に記載の方法であって、前記方法は、前記構成メッセージに応答して前記端末装置の再構成が完了したことを示すメッセージを前記端末装置から受信することをさらに有する、方法。
【請求項５】
請求項１ないし４のいずれか一項に記載の方法であって、前記方法は、前記第１のアップリンクキャリアと前記第２のアップリンクキャリアとを介して前記端末装置からデータを受信することをさらに有する、方法。
【請求項６】
通信ネットワークでの使用のためのネットワークノード（３８；４０）であって、前記ネットワークノード（３８；４０）は端末装置（４２）から前記通信ネットワークにおける無線アクセスノード（４０）への送信のためのアップリンクマルチキャリア動作のために前記端末装置（４２）を構成するためのものであり、前記ネットワークノード（３８；４０）は、
第１のＴＴＩ（送信時間間隔）を有する第１のアップリンクキャリアと第２のＴＴＩを有する第２のアップリンクキャリアとで動作するように前記端末装置（４２）を構成するために、前記端末装置（４２）へのメッセージの送信を開始するように適合しており、前記メッセージは、前記第１のアップリンクキャリアと前記第２のアップリンクキャリアとのための単一のトランスポートチャネルを前記端末装置（４２）に設定し、前記単一のトランスポートチャネルは前記第１のＴＴＩおよび前記第２のＴＴＩを有し、前記メッセージは、記第２のアップリンクキャリアのＴＴＩに固有のパラメータを示す「アップリンクセカンダリセル情報ＦＤＤ」情報要素（ＩＥ）を含む、ネットワークノード。
【請求項７】
請求項６に記載のネットワークノード（３８；４０）であって、前記メッセージは無線リソース制御（ＲＲＣ）メッセージである、ネットワークノード。
【請求項８】
請求項６または７に記載のネットワークノード（３８；４０）であって、前記メッセージはＲＲＣ再構成メッセージである、ネットワークノード。
【請求項９】
請求項６ないし８のいずれか一項に記載のネットワークノード（３８；４０）であって、前記ネットワークノード（３８；４０）は、前記構成メッセージに応答して前記端末装置の再構成が完了したことを示すメッセージを前記端末装置から受信するようにさらに適合している、ネットワークノード。
【請求項１０】
請求項６ないし９のいずれか一項に記載のネットワークノード（３８；４０）であって、前記ネットワークノード（３８；４０）は、前記第１のアップリンクキャリアと前記第２のアップリンクキャリアとを介して前記端末装置からデータを受信するようにさらに適合している、ネットワークノード。
【請求項１１】
端末装置を動作させる方法であって、前記端末装置は、前記端末装置から通信ネットワークにおける無線ネットワークノードへの送信のために、前記通信ネットワークとのアップリンクマルチキャリア動作が可能であり、前記方法は、
前記通信ネットワークからメッセージを受信すること（１１１）を有し、前記メッセージは、第１のＴＴＩ（送信時間間隔）を有する第１のアップリンクキャリアと、第２のＴＴＩを有する第２のアップリンクキャリアとで動作するように前記端末装置を設定するためのものであり、前記メッセージは、前記第１のアップリンクキャリアと前記第２のアップリンクキャリアのための単一のトランスポートチャネルを前記端末装置に設定するものであり、前記単一のトランスポートチャネルは前記第１のＴＴＩと前記第２のＴＴＩとを有し、前記メッセージは、前記第２のアップリンクキャリアのＴＴＩに固有のパラメータを示す「アップリンクセカンダリセル情報ＦＤＤ」情報要素（ＩＥ）を含む、方法。
【請求項１２】
請求項１１に記載の方法であって、前記メッセージは無線リソース制御（ＲＲＣ）メッセージである、方法。
【請求項１３】
請求項１１または１２に記載の方法であって、前記メッセージはＲＲＣ再構成メッセージである、方法。
【請求項１４】
請求項１１ないし１３のいずれか一項に記載の方法であって、前記方法は、前記構成メッセージに応答して前記端末装置の再構成が完了したことを示すメッセージを前記通信ネットワークに送信することをさらに有する、方法。
【請求項１５】
請求項１１ないし１４のいずれか一項に記載の方法であって、前記方法は、前記第１のアップリンクキャリアと前記第２のアップリンクキャリアとを介して前記端末装置からデータを送信することをさらに有する、方法。
【請求項１６】
端末装置（４２）であって、前記端末装置（４２）は、前記端末装置（４２）から通信ネットワークにおける無線ネットワークノード（４０）への送信のために、通信ネットワークとのアップリンクマルチキャリア動作が可能であり、前記端末装置（４２）は、前記通信ネットワークからメッセージを受信するように適合しており、前記メッセージは、前記端末装置（４２）が第１のＴＴＩ（送信時間間隔）を有する第１のアップリンクキャリアと第２のＴＴＩを有する第２のアップリンクキャリアとで動作するように設定するためのものであり、前記メッセージは、前記端末装置（４２）に前記第１のアップリンクキャリアおよび前記第２のアップリンクキャリアのための単一のトランスポートチャネルを設定するためのものであり、前記単一のトランスポートチャネルは、前記第１のＴＴＩおよび前記第２のＴＴＩを有し、前記メッセージは、前記第２のアップリンクキャリアのＴＴＩに固有のパラメータを示す、「アップリンクセカンダリセル情報ＦＤＤ」情報要素（ＩＥ）を有する、端末装置。
【請求項１７】
請求項１６に記載の端末装置（４２）であって、前記メッセージは無線リソース制御（ＲＲＣ）メッセージである、端末装置。
【請求項１８】
請求項１６または１７に記載の端末装置（４２）であって、前記メッセージはＲＲＣ再構成メッセージである、端末装置。
【請求項１９】
請求項１６ないし１８のいずれか一項に記載の端末装置（４２）であって、前記端末装置（４２）は、前記構成メッセージに応答して前記端末装置の再構成が完了したことを示すメッセージを前記通信ネットワークに送信するようにさらに適合している、端末装置。
【請求項２０】
請求項１６ないし１９のいずれか一項に記載の端末装置（４２）であって、前記端末装置（４２）は、前記第１のアップリンクキャリアと前記第２のアップリンクキャリアとを介して前記端末装置（４２）からデータを送信するようにさらに適合している、端末装置。
【請求項２１】
コンピュータ可読コードを有するコンピュータ可読媒体を含むコンピュータプログラム製品であって、前記コンピュータ可読コードは適切なコンピュータまたはプロセッサにより実行されると、前記コンピュータまたはプロセッサに、請求項１ないし５または１１ないし１５のいずれか一項に方法を実行させるように構成されている、コンピュータプログラム製品。
【請求項２２】
通信ネットワークでの使用のためのネットワークノードであって、前記ネットワークノード（３８；４０）は端末装置から前記通信ネットワークにおける無線アクセスノードへの送信のためのアップリンクマルチキャリア動作のために前記端末装置を構成するためのものであり、前記ネットワークノードは、プロセッサとメモリとを有し、前記メモリは、前記プロセッサによって実行可能な命令を含み、それによって、前記ネットワークノードは、
第１のＴＴＩ（送信時間間隔）を有する第１のアップリンクキャリアと第２のＴＴＩを有する第２のアップリンクキャリアとで動作するように前記端末装置を構成するために、前記端末装置へのメッセージの送信を開始するように適合しており、前記メッセージは、前記第１のアップリンクキャリアと前記第２のアップリンクキャリアとのための単一のトランスポートチャネルを前記端末装置に設定し、前記単一のトランスポートチャネルは前記第１のＴＴＩおよび前記第２のＴＴＩを有し、前記メッセージは、記第２のアップリンクキャリアのＴＴＩに固有のパラメータを示す「アップリンクセカンダリセル情報ＦＤＤ」情報要素（ＩＥ）を含む、ネットワークノード。
【請求項２３】
請求項２２に記載のネットワークノードであって、前記メッセージは無線リソース制御（ＲＲＣ）メッセージである、ネットワークノード。
【請求項２４】
請求項２２または２３に記載のネットワークノード（３８；４０）であって、前記メッセージはＲＲＣ再構成メッセージである、ネットワークノード。
【請求項２５】
請求項２２ないし２４いずれか一項に記載のネットワークノードであって、前記ネットワークノードは、前記構成メッセージに応答して前記端末装置の再構成が完了したことを示すメッセージを前記端末装置から受信するようにさらに動作する、ネットワークノード。
【請求項２６】
請求項２２ないし２５いずれか一項に記載のネットワークノードであって、前記ネットワークノードは、前記第１のアップリンクキャリアと前記第２のアップリンクキャリアとを介して前記端末装置からデータを受信するようにさらに動作する、ネットワークノード。
【請求項２７】
端末装置であって、前記端末装置は、前記端末装置から通信ネットワークにおける無線ネットワークノードへの送信のために、通信ネットワークとのアップリンクマルチキャリア動作が可能であり、前記端末装置は、プロセッサとメモリとを有し、前記メモリは、前記プロセッサによって実行可能な命令を含み、それによって、前記端末装置は、前記通信ネットワークからメッセージを受信するように動作し、前記メッセージは、前記端末装置が第１のＴＴＩ（送信時間間隔）を有する第１のアップリンクキャリアと第２のＴＴＩを有する第２のアップリンクキャリアとで動作するように設定するためのものであり、前記メッセージは、前記端末装置に前記第１のアップリンクキャリアおよび前記第２のアップリンクキャリアのための単一のトランスポートチャネルを設定するためのものであり、前記単一のトランスポートチャネルは、前記第１のＴＴＩおよび前記第２のＴＴＩを有し、前記メッセージは、前記第２のアップリンクキャリアのＴＴＩに固有のパラメータを示す、「アップリンクセカンダリセル情報ＦＤＤ」情報要素（ＩＥ）を有する、端末装置。
【請求項２８】
請求項２７に記載の端末装置であって、前記メッセージは無線リソース制御（ＲＲＣ）メッセージである、端末装置。
【請求項２９】
請求項２７または２８に記載の端末装置であって、前記メッセージはＲＲＣ再構成メッセージである、端末装置。
【請求項３０】
請求項２７ないし２９のいずれか一項に記載の端末装置であって、前記端末装置は、前記構成メッセージに応答して前記端末装置の再構成が完了したことを示すメッセージを前記通信ネットワークに送信するようにさらに動作する、端末装置。
【請求項３１】
請求項２７ないし３０のいずれか一項に記載の端末装置であって、前記端末装置は、前記第１のアップリンクキャリアと前記第２のアップリンクキャリアとを介して前記端末装置からデータを送信するようにさらに動作する、端末装置。
【発明の詳細な説明】
【技術分野】
【０００１】
記載された技術は通信ネットワークに関し、特に、端末装置がアップリンクマルチキャリア動作のために構成されることができる通信ネットワークに関する。本開示は、具体的には、ネットワークノードおよび端末装置、それらを動作させる方法、ならびにコンピュータまたはプロセッサにその方法を実行させるためのコンピュータプログラム製品に関する。
【背景技術】
【０００２】
典型的なセルラ無線システムでは、無線またはワイヤレス端末（移動局、ユーザ機器ユニット（ＵＥ）および／または端末装置としても知られている）は、無線アクセスネットワーク（ＲＡＮ）を介して１つまたは複数のコアネットワークと通信する。無線アクセスネットワーク（ＲＡＮ）はセル領域に分割された地理的領域をカバーし、各セル領域は基地局、例えば無線基地局（ＲＢＳ）によってサービス提供されている。基地局は、例えば、「ノードＢ」（ユニバーサル移動体通信システム（ＵＭＴＳ）による）または「ｅＮｏｄｅＢ」（ロングタームエボリューション（ＬＴＥ）システムによる）である。セルは、基地局サイトの無線基地局装置によって無線カバレッジが提供される地理的領域である。各セルは、セル内でブロードキャストされる、ローカル無線エリア内での識別情報によって、識別される。基地局は、無線周波数で動作する無線インターフェースを介して基地局のカバー範囲内のユーザ装置ユニット（ＵＥ）と通信する。
【０００３】
いくつかの無線アクセスネットワークでは、いくつかの基地局が無線ネットワークコントローラ（ＲＮＣ）または基地局コントローラ（ＢＳＣ）に対して（例えば、地上回線またはマイクロ波によって）接続されることがある。無線ネットワーク制御装置は、それに接続された複数の基地局の様々な活動を監視し調整する。無線ネットワークコントローラは、通常、１つまたは複数のコアネットワークに接続されている。
【０００４】
ＵＭＴＳは、グローバル移動体通信システム（ＧＳＭ）から発展した第３世代移動体通信システムである。ＵＭＴＳ地上無線アクセス（ＵＴＲＡ）ネットワーク（ＵＴＲＡＮ）は、本質的に、ユーザ装置ユニット（ＵＥ）のために広帯域符号分割多元接続（ＷＣＤＭＡ）を使用する無線アクセスネットワークである。進化型ユニバーサル地上無線アクセス（Ｅ−ＵＴＲＡ）ネットワーク（Ｅ−ＵＴＲＡＮ）は、ロングタームエボリューション（ＬＴＥ）およびシステムアーキテクチャエボリューション（ＳＡＥ）を含む。
【０００５】
ユーザデータ（すなわち、ＵＥからのデータ）は、アップリンクトランスポートチャネルでネットワークに送信される。３ＧＰＰ  ＴＳ  ２５．２１  １「物理チャネルおよびトランスポートチャネルのマッピング」ｖ１３．０．０のセクション４．１に定義されているように、トランスポートチャネルは、レイヤ１によって上位レイヤに提供されるサービスである。トランスポートチャネルは、どのように、どのような特性でデータがエアインタフェースを介して転送されるかによって定義される。トランスポートチャネルの一般的な分類は、２つのグループに分けられる：ＵＥの固有のアドレス指定を使用する専用チャネルと、アドレス指定が必要な場合にＵＥの明示的なアドレス指定を使用する共通チャネル。
【０００６】
ＵＭＴＳにおける高速アップリンクパケットアクセス（ＨＳＵＰＡ）では、アップリンクトランスポートチャネルは拡張専用チャネル（Ｅ−ＤＣＨ）トランスポートチャネルである。送信時間間隔（ＴＴＩ）は、トランスポートチャネル上の送信の期間を定義する、ＵＭＴＳにおけるパラメータであり、データパケットのサイズに関連する。したがって、各ＴＴＩについて１個のブロックのデータがトランスポートチャネルで送信される。
【０００７】
無線リソース制御（ＲＲＣ）プロトコルは、ＵＥとＵＴＲＡＮとの間のＲＲＣ接続の確立、維持、および解放、ならびに無線ベアラ（ＲＢ）およびシグナリング無線ベアラ（ＳＲＢ）の確立、再構成、および解放を担当する。下位レベルのパラメータの設定もＲＲＣメッセージに含まれているＲＲＣプロトコルは、３ＧＰＰ  ＴＳ  ２５．３３１「無線リソース制御（ＲＲＣ）；プロトコル仕様」ｖ１３．２．０に記載されている。現在、拡張専用チャネル（Ｅ−ＤＣＨ）トランスポートチャネルのためのＴＴＩは、トランスポートチャネルが追加されたときに設定される。
【０００８】
図１は、そのような手順を実行するために使用することができ、ＴＳ  ２５．３３１  ｖ  １３．２．０のセクション１０．２．２３に定義されているＲＲＣ再構成メッセージの一例である、無線ベアラセットアップメッセージからの抜粋を示す。この無線ベアラセットアップメッセージは、Ｅ−ＤＣＨのためのＴＴＩを指定する情報要素（ＩＥ）の「追加または再構成されたＴｒＣＨ情報リスト」グループを参照していることが分かる。「追加または再構成されたＴｒＣＨ情報リスト」は、ＴＳ  ２５．３３１  ｖ１３．２．０のセクション１０．３．５．２に定義されており、図２に示されている。Ｅ−ＤＣＨに関するさらなる情報は、無線ベアラ設定メッセージ内でも参照される、ＩＥの「Ｅ−ＤＣＨ情報」グループ内で設定される。「Ｅ−ＤＣＨ情報」はＴＳ  ２５．３３１  ｖ１３．２．０のセクション１０．３．６．９７において定義されており、図３に示されている。
【０００９】
Ｅ−ＤＣＨは２つのＥ−ＤＣＨ専用物理データチャネルにマッピングされ、そのうち、拡張専用物理データチャネル（Ｅ−ＤＰＤＣＨ）はアップリンクユーザデータを搬送するものであり、拡張専用物理制御チャネル（Ｅ−ＤＰＣＣＨ）はノードＢによって必要とされる制御データを搬送する。Ｅ  −  ＤＰＣＣＨに関する情報は、ＴＳ  ２５．３３１のｖ１３．２．０のセクション１０．３．６．９８において定義される、ＩＥの「Ｅ  −  ＤＰＣＣＨ  Ｉｎｆｏ」グループにおいて定義されており、図４に示されている。Ｅ  −  ＤＰＤＣＨに関する情報は、ＴＳ  ２５．３３１の  ｖ１３．２．０のセクション１０．３．６．９９において定義される、ＩＥの「Ｅ  −  ＤＰＤＣＨ  Ｉｎｆｏ」グループにおいて定義され、図５に示されている。
【００１０】
ＵＭＴＳ内では、デュアルキャリア高速アップリンクパケットアクセス（ＤＣ  −  ＨＳＵＰＡ）は、ＵＥが２つのアップリンクキャリアで同時に送信することを可能にし、ＵＥが良好な無線状態を経験しているとき最大アップリンクスループットを事実上２倍にする。ＤＣ−ＨＳＵＰＡでは、２つの搬送波が同一の周波数帯で設定される必要がある。このＤＣ−ＨＳＵＰＡ機能は、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）リリース９で導入された。
【００１１】
デュアルバンドデュアルキャリアＨＳＵＰＡ（ＤＢ−ＤＣ−ＨＳＵＰＡ）は、３ＧＰＰ  Ｒｅｌｅａｓｅ  １３で導入された。ＤＢ−ＤＣ−ＨＳＵＰＡでは、２つのキャリアが異なる周波数帯で構成することを許容している。高周波搬送波は、低周波搬送波よりもカバレッジが比較的に狭く、実際の周波数の違いによって、異なる帯域のカバレッジが大きく異なる場合がある。これは、デュアルバンドシナリオにおける２つのキャリアが、大幅に異なるカバレッジを持つ可能性があることを意味する。
【００１２】
セカンダリセル（すなわち、セカンダリキャリア上のセル）に対して、いくつかの情報要素が存在する。これらは、ＴＳ  ２５．３３１  ｖ１３．２．０のセクション１０．３．６．１１５において定義され、図６に示されている、「アップリンクセカンダリセル情報ＦＤＤ」と、ＴＳ  ２５．３３１  ｖ１３．２．０のセクション１０．３．６．１１６において定義され、図７に示されている、「セカンダリサービングＥ−ＤＣＨセル情報」と、そしてＴＳ２５．３３１ｖ１３．２．０のセクション１０．３．６．１１６において定義され、そして図８に示されている、「セカンダリＥ−ＤＣＨ情報共通」とである。
【００１３】
３ＧＰＰリリース１４に向けて、ＵＭＴＳのためのマルチキャリアへの拡張に関して作業が行われている。この目的の１つは、３ＧＰＰ  ＴＳＧ  ＲＡＮ会議＃７２「ＵＭＴＳのためのマルチキャリアの拡張」のＲＰ  −  １６１２５９に記載されているように、異なるキャリアに対して異なるＴＴＩ長を導入することである。現在の標準は２つのキャリアで２ｍｓ（ミリ秒）＋  ２ｍｓ  ＴＴＩしかサポートしておらず、そこでこの目的は２ｍｓ  ＋  １０ｍｓ、１０ｍｓ  ＋  ２ｍｓおよび１０ｍｓ  ＋  １０ｍｓの各構成を導入することである。
【発明の概要】
【００１４】
したがって、一方または両方のキャリアが１０ｍｓ  ＴＴＩ設定を使用する可能性を導入することが目的である。しかしながら、現在の規格は、Ｅ−ＤＣＨのＴＴＩが両方のキャリアに対して同じであることを前提としており、したがって、異なるＴＴＩ（２ｍｓ  ＋  ２ｍｓのＴＴＩだけではなく、他の構成も）でマルチキャリア動作のための端末装置を設定する技法が必要である。
【００１５】
第１の具体例によれば、通信ネットワーク内の端末装置から無線アクセスノードへの送信のためのアップリンクマルチキャリア動作用に端末装置を構成（設定）するように通信ネットワーク内のネットワークノードを動作させる方法が提供され、本方法は、第１の送信時間間隔ＴＴＩを有する第１のアップリンクキャリアと、第２のＴＴＩを有する第２のアップリンクキャリアとで動作するように端末装置を設定するために、端末装置へメッセージを送信することを開始することを有する。
【００１６】
第１の特定の例の実施形態では、メッセージは第１のアップリンクキャリアと第２のアップリンクキャリアのための単一のトランスポートチャネルを端末装置に設定し、単一のトランスポートチャネルは第１のＴＴＩと第２のＴＴＩを有し、メッセージは、第２のアップリンクキャリアのＴＴＩに固有のパラメータを示す、「アップリンクセカンダリセル情報ＦＤＤ（Ｕｐｌｉｎｋ  ｓｅｃｏｎｄａｒｙ  ｃｅｌｌ  ｉｎｆｏ  ＦＤＤ）」情報要素であるＩＥを有している。
【００１７】
第２の具体例によれば、通信ネットワークにおいて使用するためのネットワークノードが提供され、このネットワークノードは、端末装置から通信ネットワーク内の無線アクセスノードへの送信のためのアップリンクマルチキャリア動作のために端末装置を設定するものであり、このネットワークノードは、第１の送信時間間隔ＴＴＩを有する第１のアップリンクキャリアと、第２のＴＴＩを有する第２のアップリンクキャリアとで動作するように端末装置を設定するために、端末装置へのメッセージの送信を開始するように構成される。
【００１８】
第２の特定の例の実施形態では、メッセージは第１のアップリンクキャリアと第２のアップリンクキャリアのための単一のトランスポートチャネルを端末装置に設定し、単一のトランスポートチャネルは第１のＴＴＩと第２のＴＴＩを有し、メッセージは、第２のアップリンクキャリアのＴＴＩに固有のパラメータを示す、「アップリンクセカンダリセル情報ＦＤＤ（Ｕｐｌｉｎｋ  ｓｅｃｏｎｄａｒｙ  ｃｅｌｌ  ｉｎｆｏ  ＦＤＤ）」情報要素であるＩＥを有している。
【００１９】
第３の特定の例によれば、端末装置を動作させる方法が提供され、端末装置は、端末装置から通信ネットワーク内の無線ネットワークノードへの送信のために、通信ネットワークとのアップリンクマルチキャリア動作が可能であり、当該方法は、通信ネットワークからメッセージを受信することを有し、当該メッセージは、第１の送信時間間隔ＴＴＩを有する第１のアップリンクキャリアと、第２のＴＴＩを有する第２のアップリンクキャリアとで動作するように端末装置を構成するためのものである。
【００２０】
第３の特定の例の実施形態では、メッセージは第１のアップリンクキャリアと第２のアップリンクキャリアのための単一のトランスポートチャネルを端末装置に設定し、単一のトランスポートチャネルは第１のＴＴＩと第２のＴＴＩを有し、メッセージは、第２のアップリンクキャリアのＴＴＩに固有のパラメータを示す、「アップリンクセカンダリセル情報ＦＤＤ（Ｕｐｌｉｎｋ  ｓｅｃｏｎｄａｒｙ  ｃｅｌｌ  ｉｎｆｏ  ＦＤＤ）」情報要素であるＩＥを有している。
【００２１】
第４の具体例によれば、端末装置が提供され、当該端末装置は、端末装置から通信ネットワーク内の無線ネットワークノードへの送信のために通信ネットワークとのアップリンクマルチキャリア動作が可能である、当該端末装置は、通信ネットワークからメッセージを受信するように適合しており、このメッセージは、第１の送信時間間隔ＴＴＩを有する第１のアップリンクキャリアと、第２のＴＴＩを有する第２のアップリンクキャリアとで動作するように端末装置を設定するためのものである。
【００２２】
第４の特定の例の実施形態では、メッセージは第１のアップリンクキャリアと第２のアップリンクキャリアのための単一のトランスポートチャネルを端末装置に設定し、単一のトランスポートチャネルは第１のＴＴＩと第２のＴＴＩを有し、メッセージは、第２のアップリンクキャリアのＴＴＩに固有のパラメータを示す、「アップリンクセカンダリセル情報ＦＤＤ（Ｕｐｌｉｎｋ  ｓｅｃｏｎｄａｒｙ  ｃｅｌｌ  ｉｎｆｏ  ＦＤＤ）」情報要素であるＩＥを有している。
【００２３】
第５の具体例によれば、コンピュータ可読コードを有するコンピュータ可読媒体を含むコンピュータプログラム製品が提供され、当該コンピュータ可読コードは適切なコンピュータまたはプロセッサにより実行されると、コンピュータまたはプロセッサに上記のいずれかの方法を実行させるように構成されている。
【００２４】
上記の例は、効率的かつ明確な方法でマルチキャリア動作のための端末装置の設定を可能にする。
【図面の簡単な説明】
【００２５】
本明細書で紹介される技術の例示的な実施形態は、以下の図を参照して以下に説明される。
【図１】は無線ベアラ設定メッセージからの抜粋を示す図である。
【図２】は「追加または再構成されたＴｒＣＨ情報リスト」ＩＥを示す図である。
【図３】は「Ｅ−ＤＣＨ情報」ＩＥを示す図である。
【図３Ａ】は「Ｅ−ＤＣＨ情報」ＩＥを示す図である。
【図４】は「Ｅ−ＤＰＣＣＨ情報」ＩＥを示す図である。
【図５】は「Ｅ−ＤＰＤＣＨ情報」ＩＥを示す図である。
【図５Ａ】は「Ｅ−ＤＰＤＣＨ情報」ＩＥを示す図である。
【図６】は「アップリンクセカンダリセル情報ＦＤＤ」ＩＥを示す図である。
【図７】は「セカンダリサービングＥ−ＤＣＨセル情報」ＩＥを示す図である。
【図８】は「セカンダリＥ−ＤＣＨ情報共通（Ｓｅｃｏｎｄａｒｙ  Ｅ−ＤＣＨ  ｉｎｆｏ  ｃｏｍｍｏｎ）」ＩＥを示す図である。
【図８Ａ】は「セカンダリＥ−ＤＣＨ情報共通（Ｓｅｃｏｎｄａｒｙ  Ｅ−ＤＣＨ  ｉｎｆｏ  ｃｏｍｍｏｎ）」ＩＥを示す図である。
【図９】は例示的なＵＭＴＳネットワークを示す図である。
【図１０】は例示的な端末装置のブロック図である。
【図１１】は例示的な無線ネットワークノードのブロック図である。
【図１２】は例示的な制御ノードのブロック図である。
【図１３】はＲＲＣ再設定手順におけるシグナリングを示すシグナリング図である。
【図１４】はネットワークノードを動作させる例示的な方法を示すフローチャートである。
【図１５】は端末装置を動作させる例示的な方法を示すフローチャートである。
【図１６】は例示的な「セカンダリキャリアのためのＥ−ＤＣＨ情報」ＩＥを示す図である。
【図１６Ａ】は例示的な「セカンダリキャリアのためのＥ−ＤＣＨ情報」ＩＥを示す図である。
【図１７】は例示的な「アップリンクセカンダリセル情報ＦＤＤ」ＩＥを示す図である。
【図１８】は例示的な「追加または再構成されたＵＬ  ＴｒＣＨ情報」ＩＥを示す図である。
【図１９】は例示的な「セカンダリＥ−ＤＣＨ情報共通（Ｓｅｃｏｎｄａｒｙ  Ｅ−ＤＣＨ  ｉｎｆｏ  ｃｏｍｍｏｎ）」ＩＥを示す図である。
【図１９Ａ】は例示的な「セカンダリＥ−ＤＣＨ情報共通（Ｓｅｃｏｎｄａｒｙ  Ｅ−ＤＣＨ  ｉｎｆｏ  ｃｏｍｍｏｎ）」ＩＥを示す図である。
【発明を実施するための形態】
【００２６】
以下は、限定ではなく説明を目的とする特定の実施形態などの具体的な詳細を説明する。しかし、これらの具体的な詳細とは別に他の実施形態が採用されてもよいことが当業者によって理解されるだろう。いくつかの事例では、不必要な詳細で説明を不明瞭にしないように、よく知られている方法、ノード、インターフェース、回路、およびデバイスの詳細な説明は省略されている。当業者は、記載された機能が、ハードウェア回路（例えば、特殊機能を実行するために相互接続されたアナログおよび／または個別論理ゲート、ＡＳＩＣ、ＰＬＡなど）とを使用して、および／または、１つまたは複数のデジタルマイクロプロセッサまたは汎用コンピュータと連携したソフトウェアプログラムおよびデータを使用して、一つまたは複数のノードにおいて実装されうることを、理解しよう。エアインタフェースを使用して通信するノードもまた適切な無線通信回路を有する。さらに、適切な場合には、その技術は、ここに記述された技術を実行するために、プロセッサに実行させるであろうコンピュータ命令の適切なセットを含むソリッドステートメモリ、磁気ディスク、または光ディスクなどの任意の形態のコンピュータ可読メモリ内に完全に組み込まれうると考慮されてもよい。
【００２７】
ハードウェア実装形態は、限定することなく、デジタル信号プロセッサ（ＤＳＰ）ハードウェア、縮小命令セットプロセッサ、特定用途向け集積回路（ＡＳＩＣ）を含むがこれらに限定されないハードウェア（例えばデジタルまたはアナログ）回路、および／またはこれらを含むがこれらに限定されず、またはフィールドプログラマブルゲートアレイ（ＦＰＧＡ）、および（適切な場合には）そのような機能を実行することができるステートマシンを有するかまたは含んでもよい。
【００２８】
コンピュータ実装に関して、コンピュータは、一般に、１つまたは複数のプロセッサ、１つまたは複数の処理ユニット、１つまたは複数の処理モジュールまたは１つまたは複数のコントローラを含むと理解され、コンピュータ、プロセッサ、処理ユニット、処理モジュールおよびコントローラという用語は、相互に置換可能に使用される。コンピュータ、プロセッサ、処理装置、処理モジュールまたはコントローラによって提供される場合、機能は、単一の専用のコンピュータ、プロセッサ、処理装置、処理モジュールまたはコントローラによって、単一の共有コンピュータ、プロセッサ、処理装置、処理モジュールによって提供されてもよいし、あるいは、複数の個々のコンピュータ、プロセッサ、処理装置、処理モジュールまたは制御装置によって提供されてもよく、それらのいくつかは共有または分散されてもよい。さらに、これらの用語はまた、そのような機能を実行すること、および／またはソフトウェアを実行することができる他のハードウェア、例えば上記のハードウェアの例を指す。
【００２９】
以下の説明では、ユーザ機器（ＵＥ）という用語が使用されているが、「ＵＥ」は、アップリンク（ＵＬ）で信号を送信すること、および／またはダウンリンク（ＤＬ）で信号を測定することのうちの少なくとも１つを可能にする無線インターフェースを装備した任意のモバイルまたはワイヤレスデバイスまたはノードを含む非限定的な用語である。本明細書のＵＥは、１つまたは複数の周波数、キャリア周波数、コンポーネントキャリアまたは周波数帯で動作し、または少なくとも測定を実行することができる（その一般的な意味で）ＵＥを含みうる。それは、シングルまたはマルチの無線アクセス技術（ＲＡＴ）またはマルチスタンダードモードで動作する「ＵＥ」であり得る。「ＵＥ」と同様に、「モバイル機器」および「端末機器」という用語は、以下のでは交換可能に使用されることがあり、そのような機器は、ユーザによって運ばれるという意味での「モバイル」である必要はない。代わりに、用語「モバイルデバイス」および「端末装置」は、グローバル移動体通信システムであるＧＳＭ（登録商標）、やＵＭＴＳ、ＬｏｎｇＴｅｒｍ  ＥｖｏｌｕｔｉｏｎであるＬＴＥ（登録商標）などの１つ以上のモバイル通信規格に従って動作する通信ネットワークと通信することができる任意の装置を包含する。
【００３０】
セルは基地局または無線基地局（ＲＢＳ）に関連付けられ、基地局は一般的な意味でダウンリンクで無線信号を送信するおよび／またはアップリンクで無線信号を受信する任意のネットワークノードを含む。いくつかの例示的な基地局、または基地局を説明するために使用される用語は、ｅＮｏｄｅＢ、ｅＮＢ、ノードＢ、マクロ／ミクロ／ピコ／フェムト無線基地局、ホームｅＮｏｄｅＢ（フェムト基地局としても知られる）、リレー、リピーター、センサ、送信専用無線ノードまたは受信専用無線ノードである。基地局は、１つまたは複数の周波数、キャリア周波数または周波数帯で動作するか、または少なくとも測定を実行することができ、キャリアアグリゲーションが可能であってもよい。それはまた、例えば異なるＲＡＴに対して同じまたは異なるベースバンドモジュールを使用する、単一無線アクセス技術（ＲＡＴ）、マルチＲＡＴ、またはマルチスタンダードノードであってもよい。
【００３１】
本明細書で使用される「無線アクセスノード」または「無線ネットワークノード」という用語は、ネットワークノード、例えば、無線インターフェースを介して端末装置と通信する基地局、ノードＢまたはｅＮｏｄｅＢなどのネットワークノードを指し、「制御ノード」という用語は、通信ネットワークにおける無線アクセスネットワーク（ＲＡＮ）部分内のノードを指すことができ（例えば、ＵＴＲＡＮにおけるＲＮＣの場合など）、または、通信ネットワークのコアネットワーク部分におけるノード（例えば、ＬＴＥ通信ネットワークにおけるモビリティ管理エンティティであるＭＭＥ、またはサービングゲートウェイであるＳＧＷ）を指すことに留意されたい。
【００３２】
本明細書で別段の指示がない限り、記載されているシグナリングは、直接リンクまたは論理リンクを介する（例えば、上位層プロトコルを介しておよび／または１つまたは複数のネットワークノードを介する）ものである。
【００３３】
図９は、例示的なＵＭＴＳ通信ネットワーク、特にＵＴＲＡＮの一部を示す。ＵＴＲＡＮは、それぞれが１つまたは複数の無線基地局（ノードＢ）４０のセットを制御する無線ネットワーク制御装置（ＲＮＣ）３８の形態を成した１つまたは複数の制御ノードを含む。ＲＮＣ３８は、それに接続されるノードＢ４０を制御するとともに、ノードＢ４０間での端末装置（ＵＥ）４２の無線リソース割り当てとモビリティとを管理する。ＲＮＣ３８はまた、コアネットワーク（図９には図示せず）および他のＲＮＣ３８との間のインターフェースとなる。ノードＢ４０は、  ＵＥ４２との無線インターフェースを提供する。
【００３４】
図１０は、本明細書に記載の１つまたは複数の非限定的な例に従って動作するように適合または構成可能な端末装置（ＵＥ）４２を示す。ＵＥ４２は、ＵＥ４２の動作を制御するプロセッサまたは処理ユニット５０を備える。処理ユニット５０は、関連するアンテナ５４を有する（受信機および送信機を備える）送受信ユニット５２に接続されており、アンテナ５４は通信ネットワーク内の無線アクセスノード４０との間で信号を送受信するために使用される。送受信ユニット５２は、ＵＥ４２がマルチキャリアモードで動作すること、すなわちデータを通信ネットワークに送信するために２つ以上のキャリアを利用することを可能にするように構成される。ＵＥ４２はまた、処理ユニット５０に接続され、処理ユニット５０によって実行可能な命令またはコンピュータコード、ならびにＵＥ４２の動作に必要な他の情報またはデータを含むメモリまたはメモリユニット５６を備える。
【００３５】
図１１は、本明細書で説明される非限定的な例のうちの１つまたは複数において使用され得る無線アクセスノードまたは無線ネットワークノード４０（たとえば、ＵＭＴＳにおけるノードＢ）の例示的な構成要素を示す。無線アクセスノード４０は、無線アクセスノード４０の動作を制御する処理ユニット６０を備える。処理ユニット６０は、ネットワークにおける端末装置から無線を介して（すなわち、無線インターフェースを介して）信号を受信したり、端末装置へ信号を送信したりするために使用される１つまたは複数の関連するアンテナ６４を用いるトランシーバ回路６２に接続される。無線アクセスノード４０はまた、処理ユニット６０に接続され、無線アクセスノード４０の動作に必要な情報およびデータを記憶するメモリユニット６６を備える。無線アクセスノード４０が制御ノード（例えば、典型的にはＩｕｂインターフェースを介してＲＮＣ）と情報を交換することを無線アクセスノード４０に可能にするためのコンポーネントおよび／または回路６８を備える。
【００３６】
図１２は、以下に説明される実施形態のうちの１つ以上において使用され得る制御ノード３８（例えば、ＵＭＴＳにおけるＲＮＣ）の例示的な構成要素を示す。無線アクセスノード３８は、制御ノード３８の動作を制御する処理ユニット７０を備える。処理ユニット７０は、制御ノード３８と関連付られている（これは典型的にはＩｕｂインターフェースを介している）無線アクセスノード４０と情報を交換することを制御ノード３８に可能にするためのコンポーネントおよび／または回路７２と、制御ノード３８がコアネットワークと情報を交換することを可能にするためのコンポーネントまたは回路７４とに接続されている。制御ノード３８は、処理モジュール４０に接続され、制御ノード３８の動作に必要な情報およびデータを記憶するメモリモジュール７６も含む。
【００３７】
簡単にするために、以下に説明される方法を説明するのに必要とされる端末装置４２、無線ネットワークノード４０および制御ノード３８の構成要素だけが図１０、１１および１２に示されることが理解されるであろう。
【００３８】
本開示の実施形態は主にＵＴＲＡＮ（すなわちノードＢおよびＲＮＣ）の文脈で説明されるが、本明細書に記載される問題および解決策は他のアクセス技術および標準を実装した他のタイプの無線アクセスおよびユーザ装置（ＵＥ）にも等しく適用可能であることが当業者には理解されよう。したがってＵＴＲＡＮ（および本明細書で使用される他のＵＴＲＡＮ固有の用語）は、その技術を適用することができる技術の例としてのみ見られるべきである。例えば、当業者は、本明細書に記載された技術がＬＴＥネットワークの一部である発展型ＵＴＲＡＮ（Ｅ−ＵＴＲＡＮ）に適用され得ることを理解するであろう。
【００３９】
例示的な無線リソース制御（ＲＲＣ）再設定手順が図１３に示されている。無線接続が再設定されると、ＲＲＣ再設定メッセージが（ノードＢ４０を介して）ＲＮＣ３８からＵＥ４２に送信される。ＲＲＣ再構成メッセージは、シグナリング無線ベアラ（ＳＲＢ）、無線ベアラ（ＲＢ）、トランスポートチャネル、および物理チャネルに関するパラメータを含み得る。ＲＲＣ再設定メッセージのいくつかの例は、無線ベアラ再設定、無線ベアラ設定、トランスポートチャネル再設定、物理チャネル再設定、セル更新確認などである。当業者は他の例に気付くであろう。（例えば、トランスポートチャネル、無線ベアラなどを追加することによって）ＲＲＣ再構成メッセージに従ってＵＥ４２が再構成されると、ＵＥ４２は、ＵＥ４２の再構成が完了したことを示すメッセージを（ノードＢ４０を介して）ＲＮＣ３８に送信する。このメッセージはＲＲＣ再構成完了メッセージであり得る。
【００４０】
上記のように、複数のアップリンクキャリアがそれぞれ異なる送信時間間隔（ＴＴＩ）を有することができるようにアップリンクマルチキャリアを強化することは、リリース１４の現在の開発作業の目的である。以下の説明では、アップリンクキャリアは、第１のアップリンクキャリアおよび第２のアップリンクキャリア、ならびにプライマリセルおよびセカンダリセル、ならびにプライマリキャリアおよびセカンダリキャリアと呼ばれる。
【００４１】
現在、セカンダリキャリア（副搬送波）はＥ−ＤＣＨタイプのトランスポートチャネルのサポートに限定されており、プライマリキャリア（主搬送波）のそれと同じＥ−ＤＣＨ  ＴＴＩを有すると仮定されている。現在のＲＲＣプロトコルフレームワークは、プライマリキャリアのものとは異なるＥ−ＤＣＨ  ＴＴＩを有するセカンダリキャリアの設定を許可していない。本明細書に記載の技術は、この構成を可能にする方法を提供する。
【００４２】
図１４は、端末装置４２から通信ネットワークにおける無線アクセスノード（例えば、ノードＢ）４０への送信のためのアップリンクマルチキャリア動作のために端末装置４２を設定するために通信ネットワークにおけるネットワークノード（例えば、ＲＮＣ３８またはノードＢ４０）を動作させる例示的な方法を示す。この方法は、ステップ１０１において、第１のＴＴＩを有する第１のアップリンクキャリアと第２のＴＴＩを有する第２のアップリンクキャリアとで動作するように端末装置を設定するように端末装置へのメッセージの送信を開始することを含む。
【００４３】
ステップ１０１で送信され、または送信を開始されたメッセージは、ＲＲＣ再構成メッセージなどのＲＲＣメッセージとすることができる。
【００４４】
図３には示されていないが、メッセージが送信された後、ネットワークノード３８、４０は、構成メッセージに応答して端末装置の再設定が完了したことを示すメッセージを端末装置４２から受信してもよい。このメッセージは、例えば、ＲＲＣ  Ｒｅｃｏｎｆｉｇｕｒａｔｉｏｎ  Ｃｏｍｐｌｅｔｅ（ＲＲＣ再構成完了）メッセージであってもよい。
【００４５】
ネットワークノードはまた、再構成が完了すると、第１のアップリンクキャリアおよび第２のアップリンクキャリアを介して端末装置４２からデータを受信することもできる。
【００４６】
図１５は端末装置４２を動作させる例示的な方法を示す。端末装置４２は、端末装置４２から通信ネットワーク内の無線ネットワークノード４０への送信のために、通信ネットワークとのアップリンクマルチキャリア動作が可能である。これは、端末装置４２が２つのキャリアを使用してネットワークにデータを送信することができることを意味する。この方法は、ステップ１１１において、通信ネットワークからメッセージを受信することを含み、当該メッセージは、第１のＴＴＩを有する第１のアップリンクキャリアおよび第２のＴＴＩを有する第２のアップリンクキャリアと共に動作するように端末装置４２を設定するためのものである。
【００４７】
ステップ１０１で送信され、または送信を開始されたメッセージは、ＲＲＣ再構成メッセージなどのＲＲＣメッセージとすることができる。
【００４８】
図１４には示されていないが、メッセージが送信された後、端末装置４２は、構成メッセージに応答して端末装置４２の再構成が完了したことを示すメッセージをネットワークに送信することができる。このメッセージは、例えば、ＲＲＣ  Ｒｅｃｏｎｆｉｇｕｒａｔｉｏｎ  Ｃｏｍｐｌｅｔｅ（ＲＲＣ再構成完了）メッセージであってもよい。
【００４９】
端末装置４２はまた、再構成が完了すると、第１のアップリンクキャリアおよび第２のアップリンクキャリアを介してネットワークにデータを送信することもできる。
【００５０】
ステップ１０１で送信された、または送信されるように開始され、ステップ１１１で受信されたメッセージの様々な例は、図１６〜図１９を参照して以下により詳細に説明される。
【００５１】
第１の手法では、異なるＥ−ＤＣＨ  ＴＴＩを有する第２のトランスポートチャネルが作成される。これは、ＵＥ４２が、プライマリキャリア上に１つのＴＴＩを有する１つのＥ−ＤＣＨトランスポートチャネルと、セカンダリキャリア上に異なるＴＴＩを有する第２のＥ−ＤＣＨトランスポートチャネルとで構成されることを意味する。したがって、ステップ１０１／１１１のメッセージは、第１のアップリンクキャリアのための第１のＴＴＩを有する第１のトランスポートチャネル（例えばＥ−ＤＣＨ）と、第２のアップリンクキャリアのための第２のＴＴＩを有する第２のトランスポートチャネル（例えばＥ−ＤＣＨ）と端末装置４２を構成できる。
【００５２】
いくつかの例では、第１のＴＴＩは２ｍｓであり、第２のＴＴＩは１０ｍｓである。他の例では、第１のＴＴＩは１０ｍｓであり、第２のＴＴＩは２ｍｓである。さらに他の例では、第１のＴＴＩおよび／または第２のＴＴＩは他の値（すなわち２ｍｓおよび／または１０ｍｓ以外の値）であり得る。
【００５３】
この第１のアプローチは、図２に示すＩＥ「追加または再構成されたＴｒＣＨ情報リスト」内のＵＬトランスポートチャネルのリストに新しいＥ−ＤＣＨのための別のエントリを追加することによって現在のプロトコルフレームワークに適合することができる。よって、トランスポートチャネルリストは第１のトランスポートチャネルと第２のトランスポートチャネルとを特定（識別）することができる。この例では、（例えば、図６に示されるように）ＩＥ「Ｕｐｌｉｎｋ  ｓｅｃｏｎｄａｒｙ  ｃｅｌｌ  ｉｎｆｏ  ＦＤＤ」内の重複したパラメータを削除することも必要であろう。
【００５４】
このアプローチはまた、データが２つのトランスポートチャネルに渡される前にユーザデータストリーム（すなわち、論理チャネル）が分割される必要があることを意味する。現在、この機能はトランスポート層内で取り扱われている。上位層は、２つのＵＬキャリアを介した分配を担当する、単一のＥ−ＤＣＨトランスポートチャネルにデータを渡すだけである。したがって、このアプローチでは、データのキャリア分配の機能を２つの異なる層で実行する必要がある。
【００５５】
第２のアプローチでは、メッセージフレームワークは、同じトランスポートチャネル内（例えば、同じＥ−ＤＣＨ内）で異なるＴＴＩ長に対応するように拡張されてもよい。したがって、メッセージは、第１のＴＴＩおよび第２のＴＴＩを有する単一のトランスポートチャネルを用いて、第１のアップリンクキャリアおよび第２のアップリンクキャリアについての単一のトランスポートチャネルを用いて端末装置４２を構成することができる。これを達成することができるいくつかの方法がある。
【００５６】
現在のフレームワークでは、Ｅ−ＤＣＨは異なる場所のＲＲＣ  Ｒｅｃｏｎｆｉｇｕｒａｔｉｏｎメッセージで指定される。ＴＴＩ長、ＨＡＲＱ（ハイブリッド自動再送要求）情報、その他などのようなトランスポート層パラメータは、ＩＥ「追加または再構成されたＵＬ  ＴｒＣＨ情報」（例えば、図２に示されるように）の一部として与えられ、物理層関連のリソースパラメータは、ＩＥ「Ｅ−ＤＣＨ  Ｉｎｆｏ」および「Ｕｐｌｉｎｋ  ｓｅｃｏｎｄａｒｙ  ｃｅｌｌ  ｉｎｆｏ  ＦＤＤ」（それぞれ図３および図６に示されている）に付与されており、前者は両方のキャリアに共通のパラメータを保持し、後者はセカンダリキャリアへの特定のパラメータを保持する。
【００５７】
この第２のアプローチを実装することができる第１の方法は、必要な場合に「Ｅ−ＤＣＨ  Ｉｎｆｏ」ＩＥ内の同様のパラメータをオーバーライドして、ＩＥ「Ｕｐｌｉｎｋ  ｓｅｃｏｎｄａｒｙ  ｃｅｌｌ  ｉｎｆｏ  ＦＤＤ」に対して、セカンダリキャリアのためのすべてのＥ−ＤＣＨ  −  ＴＴＩ固有パラメータを追加することである。したがって、ステップ１０１／１１１のメッセージは、第２のアップリンクキャリアのＴＴＩに固有であるパラメータを示す「アップリンクセカンダリセル情報ＦＤＤ」情報要素（ＩＥ）を含むことができる。
【００５８】
第２のアプローチを実装することができる第２の方法は、メッセージ内のパラメータの現在の論理構造を維持する。これは、適切なときはいつでも適切なレベルで新しいＥ−ＤＣＨ  ＴＴＩのための新しいパラメータの作成を必要とする。したがって、ステップ１０１／１１１のメッセージは、第１のアップリンクキャリアについての第１のＴＴＩを示す第１のＩＥと、第２のアップリンクキャリアについての第２のＴＴＩを示す第２のＩＥとを含むことができる。メッセージレベルでは、これは、新しいトランスポートチャネルパラメータ、例えば「セカンダリキャリアのためのＥ−ＤＣＨ送信時間間隔」および下位レイヤのためのＵＬ無線リソースパラメータを追加することと、セカンダリＵＬ周波数のためのＥ−ＤＣＨ情報のための新しいＩＥを追加することと、重複したパラメータまたは不要になったパラメータを削除するために既存のＩＥの「Ｕｐｌｉｎｋ  ｓｅｃｏｎｄａｒｙ  ｃｅｌｌ  ｉｎｆｏ  ＦＤＤ」を修正することと、を有する。このアプローチの実装の例は、図１６と図１７に示されている。
【００５９】
したがって、「Ｅ−ＤＣＨ  Ｉｎｆｏ」は効果的に離され、例えば「セカンダリキャリアのＥ−ＤＣＨ  Ｉｎｆｏ」などと呼ばれる分離ＩＥは既存のＥ−ＤＣＨと並んで実装される。この新しいＩＥグループの例を図１６に示す。この新しいＩＥ「Ｅ−ＤＣＨ  Ｉｎｆｏ  ｆｏｒ  ｓｅｃｏｎｄａｒｙ  ｃａｒｒｉｅｒ（セカンダリキャリアのためのＥ−ＤＣＨ情報）」は、現在の「Ｅ−ＤＣＨ  Ｉｎｆｏ（Ｅ−ＤＣＨ情報）」と同じＩＥ（図３に示すように）または非常に類似したものを含み得る。図１６におけるこの新しい「セカンダリキャリアのためのＥ−ＤＣＨ情報」は、ＲＲＣメッセージ内のどこかで参照される必要があり、一例として、図１７に示されるように修正された「アップリンクセカンダリセル情報ＦＤＤ」に含まれ得る（特に新しい「セカンダリキャリアのためのＥ−ＤＣＨ情報」ＩＥ）。したがって、この例では、ステップ１０１／１１１のメッセージにおいて、第２のアップリンクキャリアのためのＴＴＩを示す第２のＩＥは、第２のキャリアのための第２のＴＴＩを示す第１のＩＥに対する別のＩＥグループの一部である。例えば、メッセージは、第２のアップリンクキャリアのＴＴＩに固有のパラメータを示す、第２のキャリア用の「Ｅ−ＤＣＨ情報」ＩＥを含むことができる。代替として、以下でさらに説明されるように、第１のＩＥおよび第２のＩＥは、たとえば、ＩＥの「追加または再構成されたＵＬ  ＴｒＣＨ情報」のＩＥグループのように、同じＩＥグループ  の一部であってもよく、第２のアップリンクキャリアに固有のパラメータは、別のＩＥのグループにおいて示されてもよい。
【００６０】
代替案として、図１６のように「Ｅ−ＤＣＨ情報」の全体を再利用する代わりに、端末装置４２を第２のアップリンクキャリア用に構成するのに必要なＩＥを選択し、それらをステップ１０１／１１１のメッセージ内の適切な場所に含めることができる。これらのＩＥは現在、それぞれ図４、５および３に示すように、「Ｅ−ＤＣＨ  Ｉｎｆｏ」に含まれる「Ｅ−ＤＰＣＣＨ情報」ＩＥおよび「Ｅ−ＤＰＤＣＨ情報」ＩＥの一部である。これらのＩＥを含むのに適した場所は、例えば、既存のＩＥの「セカンダリＥ−ＤＣＨ情報共通」であってもよく、これの現在のバージョンが図８に示されている。必要な情報を含む「セカンダリＥ−ＤＣＨ情報共通」の変形例が図１９に示されている。代替として、ＩＥは、代わりに、例えば「セカンダリＥ−ＤＣＨ情報共通２」などのように、「セカンダリＥ−ＤＣＨ情報共通」ＩＥと一緒に新しいグループに含まれてもよい。新しいＩＥはメッセージ内のどこかで参照される必要があり、たとえば、図１７に示されているように、「アップリンクセカンダリセル情報ＦＤＤ」ＩＥにおいて参照されてもよい。また、図１８に示すように、セカンダリアップリンクキャリアのＴＴＩ長についての新しいＩＥが「追加または再設定されたＵＬ  ＴｒＣｈ情報」ＩＥに追加されるが、それはまたメッセージのどこかに追加されてもよく、例えば「アップリンクセカンダリセル情報ＦＤＤ」ＩＥの一部として追加されてもよい。
【００６１】
したがって、上記の例は、効率的かつ明確な方法でマルチキャリア動作のための端末装置の構成（設定）を可能にする。
【００６２】
記載された例の修正および他の変形は、前述の説明および関連する図面に提示された教示の利益を享受する当業者に思い浮かぶであろう。したがって、例は開示された特定の例に限定されるべきではなく、修正および他の変形はこの開示の範囲内に含まれることが意図されていることが理解されるべきである。ここでは特定の用語が使用されたものの、一般的で説明的なセンスでもって使用されており、限定の目的では使用されていない。
【００６３】
本明細書に記載されている技術の様々な例は、以下のステートメントにおいて示される。
【００６４】
１．  端末装置から通信ネットワークにおける無線アクセスノードへの送信のためのアップリンクマルチキャリア動作のために前記端末装置を構成するための、前記通信ネットワークにおけるネットワークノードを動作させる方法であって、前記方法は、
第１のＴＴＩ（送信時間間隔）を有する第１のアップリンクキャリアと第２のＴＴＩを有する第２のアップリンクキャリアとで動作するように前記端末装置を構成するよう前記端末装置へのメッセージの送信を開始すること、を有する方法。
【００６５】
２．  ステートメント１に記載の方法であって、前記メッセージが無線リソース制御（ＲＲＣ）メッセージである、方法。
【００６６】
３．  ステートメント１または２に記載の方法であって、前記メッセージがＲＲＣ再構成メッセージである、方法。
【００６７】
４．  ステートメント１ないし３のいずれか一項に記載の方法であって、前記メッセージは、前記第１のアップリンクキャリアのための前記第１のＴＴＩを有する第１のトランスポートチャネルと、前記第２のアップリンクキャリアのための前記第２のＴＴＩを有する第２のトランスポートチャネルとを前記端末装置に設定する、方法。
【００６８】
５．  ステートメント４に記載の方法であって、前記第１のトランスポートチャネルおよび前記第２のトランスポートチャネルは、拡張専用チャネルであるＥ−ＤＣＨである、方法
６．  ステートメント４または５に記載の方法であって、前記メッセージは、トランスポートチャネルリストにおいて前記第１のトランスポートチャネルと前記第２のトランスポートチャネルとを識別する情報要素（ＩＥ）を含む、方法。
【００６９】
７．  ステートメント１ないし３のいずれか一項に記載の方法であって、前記メッセージは、前記第１のアップリンクキャリアと前記第２のアップリンクキャリアとのための単一のトランスポートチャネルを前記端末装置に設定し、前記単一のトランスポートチャネルは前記第１のＴＴＩと前記第２のＴＴＩとを有する、方法。
【００７０】
８．  ステートメント７に記載の方法であって、前記メッセージは、前記第２のアップリンクキャリアのＴＴＩに固有のパラメータを示す「アップリンクセカンダリセル情報ＦＤＤ」情報要素（ＩＥ）を含む、方法。
【００７１】
９．  ステートメント７に記載の方法であって、前記メッセージが、前記第１のアップリンクキャリアについての前記第１のＴＴＩを示す第１のＩＥ（情報要素）と、前記第２のアップリンクキャリアについての前記第２のＴＴＩを示す第２のＩＥとを含む、方法。
【００７２】
１０．  ステートメント９に記載の方法であって、前記第１のＩＥおよび前記第２のＩＥは、「追加または再構成されたＵＬ  ＴｒＣＨ情報」のＩＥのグループの一部であり、前記第２のアップリンクキャリアに固有のパラメータは別々のＩＥのグループにより示される、方法。
【００７３】
１１．  ステートメント９または１０に記載の方法であって、前記第２のＩＥは、前記第１のＩＥとは別のＩＥのグループの一部である、方法。
【００７４】
１２．  ステートメント９、１０、または１１に記載の方法であって、前記メッセージは、前記第２のアップリンクキャリアのＴＴＩに固有のパラメータを示す、前記第２のアップリンクキャリアのための「Ｅ−ＤＣＨ  Ｉｎｆｏ」ＩＥを含む、方法。
【００７５】
１３．  ステートメント１から１２のいずれか一項に記載の方法であって、前記方法は、前記構成メッセージに応答して前記端末装置の再構成が完了したことを示すメッセージを前記端末装置から受信することをさらに有する、方法。
【００７６】
１４．  ステートメント１から１３のいずれか一項に記載の方法であって、前記方法は、前記第１のアップリンクキャリアと前記第２のアップリンクキャリアとを介して前記端末装置からデータを受信することをさらに有する、方法。
【００７７】
１５．  通信ネットワークでの使用のためのネットワークノードであって、前記ネットワークノードは端末装置から前記通信ネットワークにおける無線アクセスノードへの送信のためのアップリンクマルチキャリア動作のために前記端末装置を構成するためのものであり、前記ネットワークノードは、
第１のＴＴＩ（送信時間間隔）を有する第１のアップリンクキャリアと第２のＴＴＩを有する第２のアップリンクキャリアとで動作するように前記端末装置を構成するよう、前記端末装置へのメッセージの送信を開始するように適合している、ネットワークノード。
【００７８】
ネットワークノードがステートメント２〜１４のいずれかに記載の方法のステップを実行するようにネットワークノードがさらに適合されている様々な追加の実施形態も考えられる。
【００７９】
１６．  端末装置を動作させる方法であって、前記端末装置は、前記端末装置から通信ネットワークにおける無線ネットワークノードへの送信のために、前記通信ネットワークとのアップリンクマルチキャリア動作が可能であり、前記方法は、
前記通信ネットワークからメッセージを受信することを有し、前記メッセージは、第１のＴＴＩ（送信時間間隔）を有する第１のアップリンクキャリアと第２のＴＴＩを有する第２のアップリンクキャリアとで動作するように前記端末装置を構成するためのものである、方法。
【００８０】
１７．  ステートメント１６に記載の方法であって、前記メッセージは無線リソース制御（ＲＲＣ）メッセージである、方法。
【００８１】
１８．  ステートメント１６に記載の方法であって、前記メッセージがＲＲＣ再構成メッセージである、ステートメント１６または１７に記載の方法。
【００８２】
１９．  ステートメント１６ないし１８のいずれか一項に記載の方法であって、前記メッセージは、前記第１のアップリンクキャリアのための前記第１のＴＴＩを有する第１のトランスポートチャネルと、前記第２のアップリンクキャリアのための前記第２のＴＴＩを有する第２のトランスポートチャネルとを前記端末装置に設定するものである、方法。
【００８３】
２０．  ステートメント１９に記載の方法であって、前記第１のトランスポートチャネルおよび前記第２のトランスポートチャネルは、拡張専用チャネルであるＥ−ＤＣＨである、方法
２１．  ステートメント１９または２０に記載の方法であって、前記メッセージは、トランスポートチャネルリストにおいて前記第１のトランスポートチャネルと前記第２のトランスポートチャネルとを識別する情報要素（ＩＥ）を含む、方法。
【００８４】
２２．  ステートメント１６ないし１８のいずれか一項に記載の方法であって、前記メッセージは、前記第１のアップリンクキャリアと前記第２のアップリンクキャリアとのための単一のトランスポートチャネルを前記端末装置に設定するものであり、前記単一のトランスポートチャネルは前記第１のＴＴＩと前記第２のＴＴＩとを有する、方法。
【００８５】
２３．  ステートメント２２に記載の方法であって、前記メッセージは、前記第２のアップリンクキャリアのＴＴＩに固有のパラメータを示す「アップリンクセカンダリセル情報ＦＤＤ」情報要素（ＩＥ）を含む、方法。
【００８６】
２４．  ステートメント２２に記載の方法であって、前記メッセージが、前記第１のアップリンクキャリアについての前記第１のＴＴＩを示す第１のＩＥ（情報要素）と、前記第２のアップリンクキャリアについての前記第２のＴＴＩを示す第２のＩＥとを含む、方法。
【００８７】
２５．  ステートメント２４に記載の方法であって、前記第１のＩＥおよび前記第２のＩＥは、「追加または再構成されたＵＬ  ＴｒＣＨ情報」のＩＥのグループの一部であり、前記第２のアップリンクキャリアに固有のパラメータは別々のＩＥのグループにより示される、方法。
【００８８】
２６．  ステートメント２４または２５に記載の方法であって、前記第２のＩＥは、前記第１のＩＥとは別のＩＥのグループの一部である、方法。
【００８９】
２７．  ステートメント２４、２５、または２６に記載の方法であって、前記メッセージは、前記第２のアップリンクキャリアのＴＴＩに固有のパラメータを示す、前記第２のアップリンクキャリアのための「Ｅ−ＤＣＨ  Ｉｎｆｏ」ＩＥを含む、方法。
【００９０】
２８．  ステートメント１６から２７のいずれか一項に記載の方法であって、前記方法は、前記構成メッセージに応答して前記端末装置の再構成が完了したことを示すメッセージを前記通信ネットワークに送信することをさらに有する、方法。
【００９１】
２９．  ステートメント１６から２８のいずれか一項に記載の方法であって、前記方法は、前記第１のアップリンクキャリアと前記第２のアップリンクキャリアとを介して前記端末装置からデータを送信することをさらに有する、方法。
【００９２】
３０．  端末装置であって、前記端末装置は、当該端末装置から通信ネットワークにおける無線ネットワークノードへの送信のために前記通信ネットワークとのアップリンクマルチキャリア動作が可能であり、当該端末装置は、前記通信ネットワークからメッセージを受信するように適合しており、前記メッセージは、第１の送信時間間隔ＴＴＩを有する第１のアップリンクキャリアと、第２のＴＴＩを有する第２のアップリンクキャリアとで動作するように前記端末装置を設定するためのものである、端末装置。
【００９３】
端末装置がステートメント１７〜２９のいずれかに記載の方法のステップを実行するように端末装置がさらに適合されている様々な追加の実施形態も考えられる。
【００９４】
３１．  コンピュータ可読コードを有するコンピュータ可読媒体を含むコンピュータプログラム製品であって、前記コンピュータ可読コードは適切なコンピュータまたはプロセッサにより実行されると、前記コンピュータまたはプロセッサに、ステートメント１ないし１４または１６ないし２９のいずれか一項に方法を実行させるように構成されている、コンピュータプログラム製品。
【図１】
2019533937.tif 000003
【図２】
2019533937.tif 000004
【図３】
2019533937.tif 000005
【図３Ａ】
2019533937.tif 000006
【図４】
2019533937.tif 000007
【図５】
2019533937.tif 000008
【図５Ａ】
2019533937.tif 000009
【図６】
2019533937.tif 000010
【図７】
2019533937.tif 000011
【図８】
2019533937.tif 000012
【図８Ａ】
2019533937.tif 000013
【図９】
2019533937.tif 000014
【図１０】
2019533937.tif 000015
【図１１】
2019533937.tif 000016
【図１２】
2019533937.tif 000017
【図１３】
2019533937.tif 000018
【図１４】
2019533937.tif 000019
【図１５】
2019533937.tif 000020
【図１６】
2019533937.tif 000021
【図１６Ａ】
2019533937.tif 000022
【図１７】
2019533937.tif 000023
【図１８】
2019533937.tif 000024
【図１９】
2019533937.tif 000025
【図１９Ａ】
2019533937.tif 000026
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
端末装置から通信ネットワークにおける無線アクセスノードへの送信のためのアップリンクマルチキャリア動作のために前記端末装置を構成するための、前記通信ネットワークにおけるネットワークノードを動作させる方法であって、前記通信ネットワークはユニバーサル移動体通信システム（ＵＭＴＳ）の通信ネットワークであり、前記アップリンクマルチキャリア動作は、デュアルキャリア高速アップリンクパケットアクセス（ＤＣ−ＨＳＵＰＡ）またはデュアルバンドデュアルキャリア高速アップリンクパケットアクセス（ＤＢ−ＤＣ−ＨＳＵＰＡ）であり、前記方法は、
第１のＴＴＩ（送信時間間隔）を有する第１のアップリンクキャリアと第２のＴＴＩを有する第２のアップリンクキャリアとで動作するように前記端末装置を構成するために、前記端末装置へのメッセージの送信を開始することを有し、前記メッセージは、前記第１のアップリンクキャリアと前記第２のアップリンクキャリアとのための単一のトランスポートチャネルを前記端末装置に設定し、前記単一のトランスポートチャネルは前記第１のＴＴＩおよび前記第２のＴＴＩを有し、前記メッセージは、記第２のアップリンクキャリアのＴＴＩに固有のパラメータを示す「アップリンクセカンダリセル情報ＦＤＤ」情報要素（ＩＥ）を含む、方法。
【請求項２】
請求項１に記載の方法であって、前記メッセージは無線リソース制御（ＲＲＣ）メッセージである、方法。
【請求項３】
請求項１または２に記載の方法であって、前記メッセージはＲＲＣ再構成メッセージである、方法。
【請求項４】
請求項１ないし３のいずれか一項に記載の方法であって、前記方法は、構成メッセージに応答して前記端末装置の再構成が完了したことを示すメッセージを前記端末装置から受信することをさらに有する、方法。
【請求項５】
請求項１ないし４のいずれか一項に記載の方法であって、前記方法は、前記第１のアップリンクキャリアと前記第２のアップリンクキャリアとを介して前記端末装置からデータを受信することをさらに有する、方法。
【請求項６】
通信ネットワークでの使用のためのネットワークノードであって、前記ネットワークノードは端末装置から前記通信ネットワークにおける無線アクセスノードへの送信のためのアップリンクマルチキャリア動作のために前記端末装置を構成するためのものであり、前記通信ネットワークはユニバーサル移動体通信システム（ＵＭＴＳ）の通信ネットワークであり、前記アップリンクマルチキャリア動作は、デュアルキャリア高速アップリンクパケットアクセス（ＤＣ−ＨＳＵＰＡ）またはデュアルバンドデュアルキャリア高速アップリンクパケットアクセス（ＤＢ−ＤＣ−ＨＳＵＰＡ）であり、前記ネットワークノードは、プロセッサとメモリとを有し、前記メモリは、前記プロセッサによって実行可能な命令を含み、それによって、前記ネットワークノードは、
第１のＴＴＩ（送信時間間隔）を有する第１のアップリンクキャリアと第２のＴＴＩを有する第２のアップリンクキャリアとで動作するように前記端末装置を構成するために、前記端末装置へのメッセージの送信を開始するように動作し、前記メッセージは、前記第１のアップリンクキャリアと前記第２のアップリンクキャリアとのための単一のトランスポートチャネルを前記端末装置に設定し、前記単一のトランスポートチャネルは前記第１のＴＴＩおよび前記第２のＴＴＩを有し、前記メッセージは、記第２のアップリンクキャリアのＴＴＩに固有のパラメータを示す「アップリンクセカンダリセル情報ＦＤＤ」情報要素（ＩＥ）を含む、ネットワークノード。
【請求項７】
請求項６に記載のネットワークノードであって、前記メッセージは無線リソース制御（ＲＲＣ）メッセージである、ネットワークノード。
【請求項８】
請求項６または７に記載のネットワークノードであって、前記メッセージはＲＲＣ再構成メッセージである、ネットワークノード。
【請求項９】
請求項６ないし８のいずれか一項に記載のネットワークノードであって、前記ネットワークノードは、構成メッセージに応答して前記端末装置の再構成が完了したことを示すメッセージを前記端末装置から受信するようにさらに動作する、ネットワークノード。
【請求項１０】
請求項６ないし９のいずれか一項に記載のネットワークノードであって、前記ネットワークノードは、前記第１のアップリンクキャリアと前記第２のアップリンクキャリアとを介して前記端末装置からデータを受信するようにさらに動作する、ネットワークノード。
【請求項１１】
端末装置を動作させる方法であって、前記端末装置は、前記端末装置から通信ネットワークにおける無線ネットワークノードへの送信のために、前記通信ネットワークとのアップリンクマルチキャリア動作が可能であり、前記通信ネットワークはユニバーサル移動体通信システム（ＵＭＴＳ）の通信ネットワークであり、前記アップリンクマルチキャリア動作は、デュアルキャリア高速アップリンクパケットアクセス（ＤＣ−ＨＳＵＰＡ）またはデュアルバンドデュアルキャリア高速アップリンクパケットアクセス（ＤＢ−ＤＣ−ＨＳＵＰＡ）であり、前記方法は、
前記通信ネットワークからメッセージを受信することを有し、前記メッセージは、第１のＴＴＩ（送信時間間隔）を有する第１のアップリンクキャリアと、第２のＴＴＩを有する第２のアップリンクキャリアとで動作するように前記端末装置を設定するためのものであり、前記メッセージは、前記第１のアップリンクキャリアと前記第２のアップリンクキャリアのための単一のトランスポートチャネルを前記端末装置に設定するものであり、前記単一のトランスポートチャネルは前記第１のＴＴＩと前記第２のＴＴＩとを有し、前記メッセージは、前記第２のアップリンクキャリアのＴＴＩに固有のパラメータを示す「アップリンクセカンダリセル情報ＦＤＤ」情報要素（ＩＥ）を含む、方法。
【請求項１２】
請求項１１に記載の方法であって、前記メッセージは無線リソース制御（ＲＲＣ）メッセージである、方法。
【請求項１３】
請求項１１または１２に記載の方法であって、前記メッセージはＲＲＣ再構成メッセージである、方法。
【請求項１４】
請求項１１ないし１３のいずれか一項に記載の方法であって、前記方法は、構成メッセージに応答して前記端末装置の再構成が完了したことを示すメッセージを前記通信ネットワークに送信することをさらに有する、方法。
【請求項１５】
請求項１１ないし１４のいずれか一項に記載の方法であって、前記方法は、前記第１のアップリンクキャリアと前記第２のアップリンクキャリアとを介して前記端末装置からデータを送信することをさらに有する、方法。
【請求項１６】
端末装置であって、前記端末装置は、通信ネットワークにおける無線ネットワークノードへの送信のために、前記通信ネットワークとのアップリンクマルチキャリア動作が可能であり、前記通信ネットワークはユニバーサル移動体通信システム（ＵＭＴＳ）の通信ネットワークであり、前記アップリンクマルチキャリア動作は、デュアルキャリア高速アップリンクパケットアクセス（ＤＣ−ＨＳＵＰＡ）またはデュアルバンドデュアルキャリア高速アップリンクパケットアクセス（ＤＢ−ＤＣ−ＨＳＵＰＡ）であり、前記端末装置は、プロセッサとメモリとを有し、前記メモリは、前記プロセッサによって実行可能な命令を含み、それによって、前記端末装置は、前記通信ネットワークからメッセージを受信するように動作し、前記メッセージは、前記端末装置が第１のＴＴＩ（送信時間間隔）を有する第１のアップリンクキャリアと第２のＴＴＩを有する第２のアップリンクキャリアとで動作するように設定するためのものであり、前記メッセージは、前記端末装置に前記第１のアップリンクキャリアおよび前記第２のアップリンクキャリアのための単一のトランスポートチャネルを設定するためのものであり、前記単一のトランスポートチャネルは、前記第１のＴＴＩおよび前記第２のＴＴＩを有し、前記メッセージは、前記第２のアップリンクキャリアのＴＴＩに固有のパラメータを示す、「アップリンクセカンダリセル情報ＦＤＤ」情報要素（ＩＥ）を有する、端末装置。
【請求項１７】
請求項１６に記載の端末装置であって、前記メッセージは無線リソース制御（ＲＲＣ）メッセージである、端末装置。
【請求項１８】
請求項１６または１７に記載の端末装置であって、前記メッセージはＲＲＣ再構成メッセージである、端末装置。
【請求項１９】
請求項１６ないし１８のいずれか一項に記載の端末装置であって、前記端末装置は、構成メッセージに応答して前記端末装置の再構成が完了したことを示すメッセージを前記通信ネットワークに送信するようにさらに動作する、端末装置。
【請求項２０】
請求項１６ないし１９のいずれか一項に記載の端末装置であって、前記端末装置は、前記第１のアップリンクキャリアと前記第２のアップリンクキャリアとを介して前記端末装置からデータを送信するようにさらに動作する、端末装置。
【請求項２１】
コンピュータまたはプロセッサに、請求項１ないし５および１１ないし１５のいずれか一項に記載の方法を実行させるように構成されている、コンピュータプログラム。
【国際調査報告】
2019533937.tif 000027
2019533937.tif 000028
2019533937.tif 000029
2019533937.tif 000030